(57)【要約】 【課題】  省エネモードにおいても原稿サイズを検知することができ、操作利便性に優れる原稿処理装置を提供する。【解決手段】  原稿処理装置１は、副電源８から電力供給される副制御部７が、原稿カバー開閉検知手段４による原稿カバー３の開閉動作を検知して原稿サイズ検知手段５と記憶手段６とを起動し、原稿サイズ検知手段５が検知した原稿サイズを記憶手段６に記憶させる。また主制御部９が、電源切換手段１１でもある副制御部７からの主電源制御信号によって主電源部１０から電力供給されて起動し、記憶手段６に記憶されている原稿サイズに基づいて原稿処理を行う。【選択図】      図１
2006148693.tif 000002
【特許請求の範囲】
【請求項１】
原稿サイズを検知し、検知した原稿サイズに基づいて原稿処理を行う原稿処理装置において、
原稿が載置される原稿載置部に対して開閉自在に設けられる原稿カバーと、
原稿カバーの開閉状態を検知する原稿カバー開閉検知手段と、
原稿載置部に載置される原稿のサイズを検知する原稿サイズ検知手段と、
原稿サイズ検知手段で検知される原稿サイズを記憶する記憶手段と、
原稿カバー開閉検知手段の検知出力に応答し、原稿サイズ検知手段と記憶手段とを起動し、原稿サイズ検知手段が検知した原稿サイズを記憶手段に記憶させる副制御部と、
副制御部に電力を供給する副電源と、
記憶手段に記憶されている原稿サイズに基づいて原稿処理を行う主制御部と、
主制御部に電力を供給する主電源と、
主電源による主制御部に対する電力供給と副電源による副制御部に対する電力供給とを切換える電源切換手段とを含むことを特徴とする原稿処理装置。
【請求項２】
原稿サイズ検知手段が、原稿サイズを検知して出力する検知出力がアナログ値であり、
記憶手段が該アナログ値を記憶することを特徴とする請求項１記載の原稿処理装置。
【請求項３】
主制御部は、
原稿サイズに係る予め定める基準値の範囲を記憶する基準値記憶部を備え、
記憶手段に記憶されているアナログ値が、基準値記憶部に記憶される基準値の範囲に含まれるか否かを判定することを特徴とする請求項２記載の原稿処理装置。
【請求項４】
副制御部は、
原稿カバー開閉検知手段の検知出力に応答し、原稿サイズ検知手段と記憶手段とを起動するとき、副電源から供給される電力を、少なくとも原稿サイズ検知手段と記憶手段とには供給し、他の負荷に対しては供給しないように電力供給制御することを特徴とする請求項１〜３のいずれか１つに記載の原稿処理装置。
【請求項５】
記憶手段が副制御部に備えられることを特徴とする請求項１記載の原稿処理装置。
【請求項６】
副制御部に備えられる記憶手段は、
原稿サイズを記憶するサイズ記憶領域と、設定値データを記憶するデータ記憶領域とを有することを特徴とする請求項５記載の原稿処理装置。
【請求項７】
主制御部は、記憶手段に記憶されている原稿サイズに基づいて原稿処理を行った後、記憶手段に記憶されている原稿サイズを消去することを特徴とする請求項１〜４のいずれか１つに記載の原稿処理装置。
【請求項８】
記憶手段に記憶されている原稿サイズを表示する表示手段を含み、
主制御部は、
電源切換手段によって電力供給が切換えられ、主電源から主制御部に電力供給される状態で、記憶手段に記憶されている原稿サイズを表示手段に表示することを特徴とする請求項１〜７のいずれか１つに記載の原稿処理装置。
【発明の詳細な説明】
【技術分野】
【０００１】
本発明は、たとえば複写機、ファクシミリ装置、スキャナなどに設けられる原稿処理装置に関する。
【背景技術】
【０００２】
たとえば複写機などは、近年単一サイズの原稿複写だけでなく、種々の異なるサイズの原稿複写が可能な機種が汎用化されている。このような種々の異なるサイズの原稿複写が可能な複写機では、原稿サイズ検知手段として複数の原稿検知センサを設け、原稿載置台上に載置された原稿を検知した原稿検知センサと検知しなかった原稿検知センサとの組合せに基づいて原稿サイズを検知し、該検知出力に従って記録媒体を選択決定し、原稿情報を選択された記録媒体に複写する。
【０００３】
異なるサイズの原稿複写が可能な複写機においては種々の技術改善が提案されており、たとえば、原稿カバーの閉じる信号または複写動作の開始信号に基づいて、原稿サイズを検知する検知センサの電源をｏｆｆすることによって、検知センサの寿命延長を図るものなどがある（特許文献１参照）。
【０００４】
しかしながら、異なるサイズの原稿複写が可能な複写機においては以下に述べるようなさらなる大きな問題があるにも関らず、特許文献１を初めとして先行技術は該問題に対する解決手段を明らかにしていない。
【０００５】
一般的な異なるサイズの原稿複写が可能な複写機においては、原稿情報を記録媒体上に複写する原稿処理動作を実行する主制御部と、主制御部が電源ｏｆｆとなるいわゆる省エネモード時に待機状態を維持するために必要な部位のみの動作を制御する副制御部とが備えられる。
【０００６】
従来の複写機は、主制御部に通電されて起動した状態いわゆる通常モード時でないと原稿サイズを検知することができない構成である。すなわち、原稿サイズは、通常モード時に原稿カバーを開閉することによって検知されるけれども、省エネモード時に原稿カバーを開閉しても検知されない。
【０００７】
したがって、操作者が、省エネモード状態であることを認識せずに原稿カバーを開いて載置台に原稿を載置し、原稿載置後に主制御部を再起動させて通常モードにして複写動作を実行すると、原稿検知センサは、通常モード状態で原稿カバーを開閉しないと原稿サイズを検知しないので、原稿サイズを検知しないまま複写が実行され、原稿のサイズと適合しない記録媒体に複写されることになり、記録媒体および現像剤等の無駄を生じる。
【０００８】
このような問題を生じないようにするには、まず主制御部を再起動して通常モード状態にしてから、原稿カバーの開閉を行い、原稿サイズを検知した後、複写動作を実行しなければならない。しかしながら、省エネモードから主制御部を再起動させて通常モードに切換えてから原稿サイズを検知するのでは、原稿サイズを検知するまでに長い時間を要して操作性が悪く、また、省エネモード時における原稿カバー開閉が原稿サイズ検知にとって無効であることと装置のモード状態とを常に認識し、通常モードにしてから原稿カバーの開閉を実行することを操作者に対して求めるのは困難であり、操作者にとっての利便性向上が求められている。
【０００９】
【特許文献１】特開平８−８３０３３号公報
【発明の開示】
【発明が解決しようとする課題】
【００１０】
本発明の目的は、いわゆる省エネモード状態においても原稿サイズを検知することができ、操作利便性に優れる原稿処理装置を提供することである。
【課題を解決するための手段】
【００１１】
本発明は、原稿サイズを検知し、検知した原稿サイズに基づいて原稿処理を行う原稿処理装置において、
原稿が載置される原稿載置部に対して開閉自在に設けられる原稿カバーと、
原稿カバーの開閉状態を検知する原稿カバー開閉検知手段と、
原稿載置部に載置される原稿のサイズを検知する原稿サイズ検知手段と、
原稿サイズ検知手段で検知される原稿サイズを記憶する記憶手段と、
原稿カバー開閉検知手段の検知出力に応答し、原稿サイズ検知手段と記憶手段とを起動し、原稿サイズ検知手段が検知した原稿サイズを記憶手段に記憶させる副制御部と、
副制御部に電力を供給する副電源と、
記憶手段に記憶されている原稿サイズに基づいて原稿処理を行う主制御部と、
主制御部に電力を供給する主電源と、
主電源による主制御部に対する電力供給と副電源による副制御部に対する電力供給とを切換える電源切換手段とを含むことを特徴とする原稿処理装置である。
【００１２】
また本発明は、原稿サイズ検知手段が、原稿サイズを検知して出力する検知出力がアナログ値であり、記憶手段が該アナログ値を記憶することを特徴とする。
【００１３】
また本発明は、主制御部は、
原稿サイズに係る予め定める基準値の範囲を記憶する基準値記憶部を備え、
記憶手段に記憶されているアナログ値が、基準値記憶部に記憶される基準値の範囲に含まれるか否かを判定することを特徴とする。
【００１４】
また本発明は、副制御部は、
原稿カバー開閉検知手段の検知出力に応答し、原稿サイズ検知手段と記憶手段とを起動するとき、副電源から供給される電力を、少なくとも原稿サイズ検知手段と記憶手段とには供給し、他の負荷に対しては供給しないように電力供給制御することを特徴とする。
【００１５】
また本発明は、記憶手段が副制御部に備えられることを特徴とする。
また本発明は、副制御部に備えられる記憶手段は、
原稿サイズを記憶するサイズ記憶領域と、設定値データを記憶するデータ記憶領域とを有することを特徴とする。
【００１６】
また本発明は、主制御部は、
記憶手段に記憶されている原稿サイズに基づいて原稿処理を行った後、記憶手段に記憶されている原稿サイズを消去することを特徴とする。
【００１７】
また本発明は、記憶手段に記憶されている原稿サイズを表示する表示手段を含み、
主制御部は、
電源切換手段によって電力供給が切換えられ、主電源から主制御部に電力供給される状態で、記憶手段に記憶されている原稿サイズを表示手段に表示することを特徴とする。
【発明の効果】
【００１８】
本発明によれば、原稿処理装置に備わる電源切換手段が、副電源による副制御部に対する電力供給に切換えたいわゆる省エネモードの状態で、副制御部が、原稿カバー開閉検知手段の検知出力に応答して原稿サイズ検知手段と記憶手段とを起動し、原稿サイズ検知手段が検知した原稿サイズを記憶手段に記憶させ、主電源による主制御部に対する電力供給に切換えたいわゆる通常モードの状態で、主制御部が、記憶手段に記憶されている原稿サイズに基づいて原稿処理を行う。
【００１９】
このことによって、省エネモード状態であっても原稿サイズを検知することができるので、原稿サイズと記録媒体とのサイズ不適合を生じることなく、また迅速な原稿処理が可能になり、操作利便性を向上することができる。すなわち、省エネモード中に原稿カバーが開かれたことを検知すると、主制御部が電源ｏｆｆのまま、原稿サイズ検知手段と記憶手段のみが電源ｏｎされて起動し、原稿サイズの検知と記憶とを行うことができる。主制御部は電源ｏｎされてから起動が完了するまで長い時間を要するが、副制御部の起動は主制御部に比べて速く、副制御部によって原稿サイズ検知手段と記憶手段とのみを電源ｏｎにするので、主制御部の起動を待つことなく迅速に原稿サイズの検出および記憶が可能になる。
【００２０】
また本発明によれば、原稿サイズ検知手段が、原稿サイズを検知して出力する検知出力がアナログ値であり、記憶手段が該アナログ値を記憶する。したがって、たとえば記憶手段としてコンデンサを用い、該コンデンサにアナログ値を記憶することによって、アナログの記憶値を保持するために記憶中に通電する必要が無くなるので、電力を節約することができる。
【００２１】
また本発明によれば、主制御部は、記憶手段に記憶されているアナログ値が、原稿サイズに係る予め定める基準値の範囲内であるか否かを判定する。原稿サイズ検知手段は、原稿載置部に原稿が置かれていない状態で原稿カバーの開閉がなされたとき、基準電圧値未満の値を出力する。原稿が置かれていない状態で検知動作がされたときは検知結果を無効として、誤った設定が行われることが防止できる。
【００２２】
また本発明によれば、副制御部は、原稿サイズ検知手段と記憶手段とを起動するとき、副電源から供給される電力を、少なくとも原稿サイズ検知手段と記憶手段とには供給し、他の負荷に対しては供給しないように電力供給制御するので、副電源の電力供給能力を大きくする必要が無くなり、副電源のコストアップを抑えることができる。
【００２３】
また本発明によれば、記憶手段が副制御部に備えられる。副制御部には省エネモード時においても副電源から通電されているので、副制御部に記憶手段を設けることによって、原稿サイズを安定して保存することができる。
【００２４】
また本発明によれば、副制御部に備えられる記憶手段が、原稿サイズを記憶するサイズ記憶領域と、設定値データを記憶するデータ記憶領域とを有するので、原稿サイズを記憶させるための記憶領域を別途設ける必要が無くなる。
【００２５】
ここで設定値とは、具体的には画像形成装置が出荷後、現在まで画像形成した枚数つまり累計コピー枚数や、原稿読取装置が出荷後現在まで読み取りを行った原稿枚数つまり累計スキャン原稿枚数などが相当する。また副制御部に備えられる記憶手段として、バックアップされたＳＲＡＭもしくはＥＥＰＲＯＭ等、ＡＣ電源をオフしても情報を保持するものを用いる場合には、データ記憶領域は電源をオフしても上記設定値を保持することができる。この記憶手段を、設定値データを記憶するデータ記憶手段と原稿サイズを記憶するサイズ記憶手段とに共用することにより、別途原稿サイズを記憶する記憶領域を設ける必要が無くなる。
【００２６】
また本発明によれば、主制御部が、原稿処理を行った後、記憶手段に記憶されている原稿サイズを消去するので、原稿処理するべき原稿のサイズとは異なる記憶値を用いて原稿処理されてしまうことが防止できる。
【００２７】
また本発明によれば、主制御部が、主電源から主制御部に電力供給されるいわゆる通常モードの状態で、記憶手段に記憶されている原稿サイズを表示手段に表示するので、操作者は、原稿処理するべき原稿のサイズを確認することができる。
【発明を実施するための最良の形態】
【００２８】
図１は本発明の実施の第１形態である原稿処理装置１の構成を簡略化して示す図であり、図２は図１に示す原稿処理装置１の電力供給および信号授受に係る系統図であり、図３は図１に示す原稿処理装置１に備わる記憶手段６の構成を示す拡大図である。
【００２９】
原稿処理装置１は、原稿が載置される原稿載置部２に対して開閉自在に設けられる原稿カバー３と、原稿カバー３の開閉状態を検知する原稿カバー開閉検知手段４と、原稿載置部２に載置される原稿のサイズを検知する原稿サイズ検知手段５と、原稿サイズ検知手段５で検知される原稿サイズを記憶する記憶手段６と、原稿カバー開閉検知手段４の検知出力に応答し、原稿サイズ検知手段５と記憶手段６とを起動し、原稿サイズ検知手段５が検知した原稿サイズを記憶手段６に記憶させる副制御部７と、副制御部７に電力を供給する副電源８と、記憶手段６に記憶されている原稿サイズに基づいて原稿処理を行う主制御部９と、主制御部９に電力を供給する主電源１０と、主電源１０による主制御部９に対する電力供給と副電源８による副制御部７に対する電力供給とを切換える電源切換手段１１と、記憶手段６に記憶されている原稿サイズを表示する表示手段１２とを含む。
【００３０】
本実施形態の原稿処理装置１は、たとえば複写機の一部を構成するものであり、不図示の画像形成部と連系動作し、原稿から読取った原稿情報を記録媒体上に印字画像として再生する原稿処理すなわち複写を行うことに用いられる。
【００３１】
原稿カバー３と原稿カバー開閉検知手段４と原稿サイズ検知手段５とは、原稿読取装置１３に設けられる。原稿読取装置１３は、前記原稿載置部２を備え、原稿載置部２に載置される原稿の画像情報（以後、原稿情報と呼ぶ）と、原稿サイズとを読取る。原稿読取装置１３は、大略、読取装置本体１４と、読取装置本体１４にたとえばヒンジ構造で装着されて原稿載置部２に対して開閉自在な原稿カバー３とを含む。
【００３２】
原稿カバー開閉検知手段４は、たとえばメカスイッチであり、読取装置本体１４に設けられて原稿カバー３が開かれた状態でｏｎ信号を出力し、原稿カバー３が閉じられた状態ではｏｆｆ信号を出力する。この原稿カバー開閉検知手段４のｏｎ／ｏｆｆ出力は、副制御部７に入力される。
【００３３】
原稿サイズ検知手段５は、発光素子１５と、発光素子１５から出射されて原稿もしくは原稿カバー３からの反射光を受光する受光素子１６とからなる光学センサである。光学センサは、種々の原稿サイズ、たとえばＪＩＳ−Ｐ０１３８に規定されるＡ３，Ａ４，Ｂ４，Ｂ５などのサイズを検知するのに応じた位置に複数個が配置される。原稿サイズ検知手段５によって検知される各原稿サイズの検知出力は、受光素子１６によって光電変換され電気信号（アナログ電圧値）として記憶手段６に入力される。また、読取装置本体１４には、原稿情報を読取るための光走査部と受光検出部とが設けられるけれども図示を省略する。
【００３４】
本実施の形態では、記憶手段６は、原稿サイズ検知手段５による原稿サイズの検知出力をアナログ電圧値として記憶する。記憶手段６は、第１増幅器２１と、アナログスイッチ２２と、コンデンサ２３と、第２増幅器２４と、放電スイッチ２５と、第３増幅器２６とを含んで構成される。
【００３５】
第１増幅器２１は、原稿サイズ検知手段５に接続されて原稿サイズ検知手段５からの検知出力が入力され、増幅出力をアナログスイッチ２２へ入力する。コンデンサ２３は、アナログスイッチ２２に接続され、アナログスイッチ２２がｏｎ状態のとき、第１増幅器２１からの増幅出力が原稿サイズ信号として充電される。
【００３６】
第２増幅器２４は、入力側がコンデンサ２３に接続され、出力側が主制御部９に接続され、主制御部９による原稿処理動作指令に応じてコンデンサ２３の記憶信号を増幅し、該増幅出力を原稿サイズ信号として主制御部９へ出力する。
【００３７】
第３増幅器２６は、入力側が副制御部７に接続され、出力側がアナログスイッチ２２に接続され、副制御部７から出力される記憶手段制御信号に応じてアナログスイッチ２２をｏｎ／ｏｆｆ動作、すなわちコンデンサ２３に対する充電スイッチとして動作させる。
【００３８】
コンデンサ２３と第２増幅器２４との間に設けられる放電スイッチ２５は、主制御部９に接続され、主制御部９が原稿処理を実行した後に出力する原稿サイズ記憶値の消去指令に応じてコンデンサ２３を放電させ、記憶手段６に記憶されている原稿サイズを消去する。
【００３９】
副制御部７は、たとえばマイクロプロセッサユニット３２（略称ＭＰＵ；副制御部についてはＳｕｂ−ＭＰＵと表記する）によって実現される処理回路を備える。副制御部７は、原稿カバー開閉検知手段４による検知出力、本実施の形態では原稿カバー３が開かれたことを検知する原稿カバー開閉検知手段４によるｏｎ信号に応じ、副制御部７と副電源８との間に設けられる副電源系統制御スイッチ３１を動作させて、原稿サイズ検知手段５と記憶手段６とに副電源８からの電力を供給し、原稿サイズ検知手段５と記憶手段６とを起動する。次いで、副制御部７は、読取装置本体１４の原稿載置部２に載置された原稿のサイズを読取るように原稿サイズ検知手段５に動作指令を出力し、記憶手段６、より詳細には記憶手段６の第３増幅器２６を介してアナログスイッチ２２に対して、原稿サイズ検知手段５が検知した原稿サイズのアナログ電圧値をコンデンサ２３に充電するように動作指令を出力する。
【００４０】
さらに副制御部７は、次のような場合、主電源１０に対して、主電源１０をｏｆｆにして主制御部９に対して電力供給しない状態、すなわち省エネモードにするような主電源制御信号を出力する。たとえば、操作無しの状態が予め定める時間以上継続される場合、または複写機に設けられる省エネモード移行ボタンが操作者によって操作された場合、副制御部７は省エネモードにする主電源制御信号を出力する。操作無しの状態とは、たとえば原稿カバー３が全く開閉動作されない状態などであり、継続時間は、副制御部７に備えられる不図示の計時部によって計測することができる。
【００４１】
逆に省エネモードのとき、副制御部７は、以下のような場合、主電源１０に対して、主電源１０をｏｎにして主制御部９に対して電力供給する状態すなわち通常モードにするような主電源制御信号を出力する。たとえば複写機に設けられて主制御部９による原稿処理動作である複写動作を開始する信号を出力するコピーボタンが操作者によって操作され、該信号が入力されるとき、また複写機にファクシミリ装置としての機能が備わる場合にはファクシミリ信号が受信されたとき、副制御部７は通常モードにする主電源制御信号を出力する。原稿処理装置１において副制御部７は、電源切換手段１１として機能する。
【００４２】
主制御部９は、処理回路であるＭＰＵ３３と、アナログ／デジタル（略称Ａ／Ｄ）コンバータ３４とを備える。
【００４３】
主制御部９は、前記コピーボタンが操作者によって操作されて通常モードとなり、原稿処理動作を実行するとき、記憶手段６から読出した原稿サイズ信号をＡ／Ｄコンバータ３４でデジタル化してＭＰＵ３３へ入力し、ＭＰＵ３３が、複写機の画像形成部のメモリに記憶されている画像情報を読出し、検知した原稿サイズに対応する記録紙を複写機の用紙供給部から供給させ、複写機の画像形成部で記録紙上に原稿情報を再生するという原稿処理すなわち複写を実行する。この主制御部９は、原稿処理装置１が複写機の一部を構成する場合、複写機全体の動作制御を行う制御手段として設けられる。
【００４４】
なお、本実施形態の原稿処理装置１では、原稿処理動作の前であって、ＭＰＵ３３が原稿サイズ信号を受取った後、該原稿サイズを表示手段１２に表示し、操作者が、表示される原稿サイズがまさに原稿処理しようとしている原稿のサイズと一致することを承認、たとえば装置に設けられる承認ボタンを操作して承認信号を出力してから、原稿処理動作が実行されるように構成される。表示された原稿サイズと不一致であるとき、不図示の原稿サイズ設定手段から、まさに原稿処理しようとしている原稿のサイズを設定入力することによって、続けて原稿処理動作が実行される。原稿サイズが表示される表示手段１２は、たとえば液晶ディスプレイ（略称ＬＣＤ）によって実現される。
【００４５】
主電源１０および副電源８は、いずれも商用電源から電力供給を受け、必要な電圧に変換して主制御部９、副制御部７等へそれぞれ電力供給する。電源容量は、副電源８の方が主電源１０よりも小さくなるように構成される。
【００４６】
図４は、本発明の実施の第２形態である原稿処理装置４０の構成を簡略化して示す図である。本実施形態の原稿処理装置４０は、実施の第１形態の原稿処理装置１に類似し、対応する部分については同一の参照符号を付して説明を省略する。
【００４７】
原稿処理装置４０において注目すべきは、主制御部４１が、原稿サイズに係る予め定める基準値の範囲を記憶する基準値記憶部４２を備え、記憶手段６に記憶されているアナログ値が、基準値記憶部４２に記憶される基準値の範囲に含まれるか否かを判定することである。
【００４８】
原稿サイズ検知手段５は、原稿載置部２に原稿が置かれていない状態で原稿カバー３の開閉がなされたとき、基準電圧値未満の値を出力する。原稿が置かれていない状態で検知動作がされたときは検知結果を無効として、誤った設定が行われることが防止できる。
【００４９】
一方、主制御部４１は、検知値が基準電圧範囲外であると判定するとき、初期設定値として予め定めるサイズ、たとえばＡ４サイズの記録紙を選択して、該記録紙を用いて原稿処理を実行する。
【００５０】
図５および図６は、原稿処理装置４０の動作を説明するフローチャートである。以下図５および図６を参照して原稿処理装置４０の動作を説明する。図５では、原稿処理装置４０の副制御部７による動作と主制御部９による動作とを並列に示し、図６では図５に示す主制御部９による動作の延長部分を示す。
【００５１】
ステップｓ０のスタートでは、副電源８から副制御部７に電力供給され、主電源１０がｏｆｆされて主制御部９には電力供給されていない状態である。主制御部９のステップｓ０と、副制御部７のステップｓ０とは同一のステップを表す。
【００５２】
まず副制御部７による動作について説明する。ステップｓ１では、原稿カバー３の開閉状態が原稿カバー検知手段４によって検知され、ステップｓ２では、原稿カバー３が開いているか否かが判定される。原稿カバー３が開いていないとき、すなわち操作者が複写のための原稿を原稿載置部２へ置く動作を全く行わないときには、ステップｓ１へ戻る。ステップｓ１を繰返すということは、複写動作に係る原稿サイズ検知の開始を省エネモードで待機している状態である。原稿カバー３が開いているときにはステップｓ３へ進む。
【００５３】
ステップｓ３では、再度原稿カバー３の開閉状態が検知される。このステップｓ３は、原稿を複写するべく原稿カバー３を開けて原稿載置部２に載置した後、操作者が原稿カバー３を閉じる動作を実行したことを検知するものである。ステップｓ４では、原稿カバーが閉じているか否かが判定される。原稿カバー３が閉じていないとき、すなわち操作者が複写のための原稿を原稿載置部２へ載置した後、未だ原稿カバー３を閉じていないときには、ステップｓ３へ戻る。ステップｓ３を繰返すということは、操作者が原稿カバー３を閉じるのを待っている状態である。原稿カバー３が閉じられるとステップｓ５へ進む。
【００５４】
ステップｓ５では、原稿カバー開閉検知手段４による原稿カバー３の開閉検知出力に応答して副電源系統制御スイッチ３１をｏｎにし、原稿サイズ検知手段５と記憶手段６とに副電源８から電力供給して起動させる。ステップｓ６では、主電源１０をｏｎにする主電源制御信号が電源切換手段でもある副制御部７から主電源１０に対して出力される。このステップｓ６の動作は、フローでは省略するけれども、操作者によるコピーボタン操作に応じて実行される。
【００５５】
ステップｓ７では、原稿サイズ検知手段５が原稿載置部２に載置される原稿のサイズを検知して記憶手段６に対して出力する。ステップｓ８では、記憶手段６が原稿サイズを記憶し、ステップｓ９へ進んで省エネモードになるための制御信号の入力を待機する状態となる。
【００５６】
副制御部７による動作ステップｓ６で出力される主電源制御信号に応答し、主制御部９による動作ステップｓ１０において、主電源１０がｏｎにされて主制御部９に対して電力供給が開始され、省エネモードから通常モードに切換わる。ステップｓ１１では、主電源１０から電力供給された主制御部９が初期化処理を実行する。ここで主制御部９による初期化処理とは、原稿処理装置１を含む複写機全体が、複写動作を実行可能にするための準備動作を言う。
【００５７】
ステップｓ１２では、記憶手段６からアナログ値の原稿サイズ信号を読出し、Ａ／Ｄコンバータ３４でアナログ値をデジタル値に変換する。ステップｓ１３では、Ａ／Ｄコンバータ３４で変換された原稿サイズの検知値であるデジタル値が、基準値記憶部４２から読出した基準電圧値以上であるか否かを判定する。
【００５８】
なお原稿サイズ検知手段５は、原稿載置部２に原稿が置かれていない状態で原稿カバー３の開閉がなされたとき、基準電圧値未満の値を出力する。このステップでは、原稿が置かれていない状態で検知動作がされたときは検知結果が無効であるとして、初期設定値を選択するよう制御している。
【００５９】
検知値が基準電圧値以上であるとき、ステップｓ１４に進み、主制御部４１に備わる不図示のテーブルデータ記憶部に格納されている原稿サイズ別設定値データテーブルから、検知した原稿サイズに該当するサイズを選択する。一方検知値が基準電圧値未満であるとき、ステップｓ１５に進み、初期設定値として予め定めるサイズ、たとえばＡ４サイズを選択する。
【００６０】
ステップｓ１６では、選択した原稿サイズを表示手段１２に表示する。ステップｓ１７では、表示手段１２に表示されている原稿サイズが、原稿載置部２に載置して原稿サイズを検知させた原稿のサイズと同一、すなわち正しい原稿サイズであるか否かを、操作者が判定する。正しい原稿サイズが表示されているとき、操作者は、たとえば装置に設けられる承認ボタンを操作して承認信号を入力する。正しい原稿サイズが表示されていないとき、操作者は、正しい原稿サイズを入力指示するべく、装置に設けられる原稿サイズ設定画面表示ボタンを操作して原稿サイズ設定画面表示指示を入力する。
【００６１】
操作者によって原稿サイズが承認されたとき、ステップｓ１８へ進み、操作者がさらにコピーボタンを操作して、原稿処理動作である複写動作実行の指示を入力する。ステップｓ１９では、主制御部４１の動作指令に従って複写機に備わる画像形成部が、選択したサイズの記録紙に対して原稿情報を複写する。ステップｓ２０では、主制御部４１が、記憶手段６の放電スイッチ２５に対して動作指令を出力してコンデンサ２３を放電、すなわち記憶手段６に記憶されている原稿サイズの検知値を消去する。ステップｓ２１では、次の複写対象となる原稿が、原稿カバー３が開かれて原稿載置部２に載置され、原稿カバー３が閉じられて原稿サイズ検知手段５によって原稿サイズが検知されることを待機する状態である。この待機状態が、予め定める時間以上になるとき、副制御部７が、主電源１０に対して主電源１０をｏｆｆにする主電源制御信号を出力して省エネモードにする。
【００６２】
先のステップｓ１７において、操作者が表示手段１２に表示されている原稿サイズを承認せず、原稿サイズ設定画面表示ボタンを操作したときにはステップｓ２２へ進み、原稿サイズ設定画面が表示手段１２に表示される。ステップｓ２３では、操作者が、原稿サイズ設定手段である原稿サイズ設定画面に表示される原稿サイズのうちから、原稿処理するべき原稿のサイズ、すなわち原稿載置部２に載置して原稿サイズを検知させた原稿サイズと同じ原稿サイズを入力し、ステップｓ１７へ戻って以降の動作を実行する。
【００６３】
図７は、本発明の実施の第３形態である原稿処理装置５０の構成を主要部について示す図である。本実施形態の原稿処理装置５０は、実施の第１形態の原稿処理装置１に類似し、対応する部分については同一の参照符号を付して説明を省略する。
【００６４】
本実施形態の原稿処理装置５０において注目すべきは、副制御部７が、原稿カバー開閉検知手段５の検知出力に応答し、原稿サイズ検知手段５と記憶手段６とを起動するとき、副電源８から供給される電力を、少なくとも原稿サイズ検知手段５と記憶手段６とには供給し、他の負荷に対しては供給しないように電力供給制御することである。
【００６５】
原稿処理装置５０では、副電源８からの電力供給は、副制御部７と、原稿サイズ検知手段５および記憶手段６と、原稿サイズ検知手段５および記憶手段６以外の他の負荷である省エネ状態表示手段５１とに対して行われる。省エネ状態表示手段５１は、省エネモードであることを表示するためのたとえば発光ダイオード（略称ＬＥＤ）である。便宜上、原稿サイズ検知手段５および記憶手段６に対する電力供給回路を第１副電源供給回路５３と呼び、省エネ状態表示手段５１に対する電力供給回路を第２副電源供給回路５４と呼ぶ。
【００６６】
第１副電源供給回路５３には、前述の副電源系統制御スイッチ３１（以後、第１副電源系統制御スイッチ３１と呼ぶ）が設けられ、第２副電源供給回路５４には、もう一つの副電源系統制御スイッチ５２（以後、第２副電源系統制御スイッチ５２と呼ぶ）が設けられる。第１および第２副電源系統制御スイッチ３１，５２は、それぞれ副制御部７のＳｕｂ−ＭＰＵ３２に接続され、Ｓｕｂ−ＭＰＵ３２によってｏｎ／ｏｆｆ動作制御される。
【００６７】
省エネモードであって原稿カバー３の開閉操作が行われないとき、副制御部７のＳｕｂ−ＭＰＵ３２は、第１副電源系統制御スイッチ３１をｏｆｆにし、第２副電源系統制御スイッチ５２をｏｎにする。すなわち、原稿サイズ検知手段５および記憶手段６に対しては副電源８から電力供給が行われず、省エネ状態表示手段５１であるＬＥＤに対しては副電源８から電力供給が行われ、ＬＥＤ５１が点灯している。
【００６８】
原稿カバー開閉検知手段４によって原稿カバー３の開閉動作が検知されたとき、副制御部７のＳｕｂ−ＭＰＵ３２は、第１副電源系統制御スイッチ３１をｏｎにし、第２副電源系統制御スイッチ５２をｏｆｆにする。すなわち、原稿サイズ検知手段５および記憶手段６に対して副電源８から電力供給が行われ、原稿サイズ検知手段５および記憶手段６が起動する。一方、他の負荷であるＬＥＤ５１に対しては副電源８から電力供給が行われず、消灯する。
【００６９】
このように原稿処理装置５０では、副電源８から原稿サイズ検知手段５と記憶手段６とに電力供給するときには、他の負荷であるＬＥＤ５１に対しては電力を供給しないように電力供給制御するので、副電源８の電力供給能力を大きくしなくても良いので、副電源８のコストアップを抑えることができる。
【００７０】
図８は、本発明の実施の第４形態である原稿処理装置６０の構成を主要部について示す図である。本実施の形態の原稿処理装置６０は、実施の第１形態の原稿処理装置１に類似し、対応する部分については同一の参照符号を付して説明を省略する。
【００７１】
原稿処理装置６０において注目すべきは、原稿サイズ検知手段５によって検知される原稿サイズを記憶する記憶手段６１が副制御部６２に備えられることである。本実施形態の記憶手段６１は、たとえば半導体メモリであり、副制御部６２に備わるＳｕｂ−ＭＰＵ６３に設けられる。この記憶手段６１には、原稿サイズを記憶するサイズ記憶領域と、設定値データを記憶するデータ記憶領域とを有し、サイズ記憶領域に記憶される原稿サイズのデータは、デジタルデータでなければならないので、Ａ／Ｄコンバータ３４が副制御部６２に設けられる。
【００７２】
原稿サイズ検知手段５によって検知される原稿サイズのデータは、副制御部６２のＡ／Ｄコンバータ３４でデジタル化された後、記憶手段６１にデジタルデータとして記憶される。したがって、原稿処理装置６０における主制御部６４には、Ａ／Ｄコンバータが不要であり、主制御部６４が原稿処理する際、主制御部６４のＭＰＵ３３が、副制御部６２に備わる記憶手段６１から直接デジタルデータ化された原稿サイズを読出す。
【００７３】
このような構成の原稿処理装置６０においては、省エネモード時においても副制御部６２および副制御部６２に設けられる記憶手段６１に対して副電源８から通電されているので、記憶手段６１に記憶されている原稿サイズのデータが、消失することなく、またコンデンサのアナログ電圧値のように変化することなく安定して保存することができる。
【００７４】
以上に述べたように、本実施の形態では、原稿処理装置が複写機に設けられる構成について例示したけれども、これに限定されることなく、原稿処理装置が、ファクシミリ装置、スキャナなどに設けられるように構成されても良い。ファクシミリ装置においては、送信原稿のサイズおよび情報を読取り、該読取サイズと原稿情報とを、他装置へ送信する原稿処理に用いられる。またスキャナでは、スキャン対象の原稿サイズを読取り、スキャン原稿のサイズと情報とを記憶部へ格納、または格納したスキャン原稿情報を複写機と同様にして画像形成する原稿処理に用いられる。
【図面の簡単な説明】
【００７５】
【図１】本発明の実施の第１形態である原稿処理装置１の構成を簡略化して示す図である。
【図２】図１に示す原稿処理装置１の電力供給および信号授受に係る系統図である。
【図３】図１に示す原稿処理装置１に備わる記憶手段６の構成を示す拡大図である。
【図４】本発明の実施の第２形態である原稿処理装置４０の構成を簡略化して示す図である。
【図５】原稿処理装置４０の動作を説明するフローチャートである。
【図６】原稿処理装置４０の動作を説明するフローチャートである。
【図７】本発明の実施の第３形態である原稿処理装置５０の構成を主要部について示す図である。
【図８】本発明の実施の第４形態である原稿処理装置６０の構成を主要部について示す図である。
【符号の説明】
【００７６】
１，４０，５０，６０  原稿処理装置
２  原稿載置部
３  原稿カバー
４  原稿カバー開閉検知手段
５  原稿サイズ検知手段
６，６１  記憶手段
７，６２  副制御部
８  副電源
９，４１，６４  主制御部
１０  主電源
１１  電源切換手段
１２  表示手段
３１，５２  副電源系統制御スイッチ
４２  基準値記憶部
５１  省エネ状態表示手段
【図１】
2006148693.tif 000003
【図２】
2006148693.tif 000004
【図３】
2006148693.tif 000005
【図４】
2006148693.tif 000006
【図５】
2006148693.tif 000007
【図６】
2006148693.tif 000008
【図７】
2006148693.tif 000009
【図８】
2006148693.tif 000010